(57)【要約】      （修正有）【課題】電動ドリルによる機械打ち及び手打ちによる杭打ち作業性を向上させ、また杭の引き抜き抵抗を増した抜け難い螺旋杭を提供する。【解決手段】  金属線材を螺旋状に曲げた杭部１と、杭部先端に杭部と連続する部材でリング立ち上げ形状に形成した紐装着部２を備えた螺旋杭において、紐装着部を上下に扁平したリング形状に形成してなり、更に紐装着部の両側折返し端を、杭部の螺旋径Ａより外周方向へ突出させてなる。また杭部の上方側の螺旋捩れピッチ長Ｂ２を、下方側部分の捩れピッチ長Ｂ１に対して数ピッチ短く形成する。【選択図】図２
0003191590.tif 000002
【実用新案登録請求の範囲】
【請求項１】
金属線材を螺旋状に曲げた杭部と、杭部先端に杭部と連続する部材でリング立ち上げ形状に形成した紐装着部を備えた螺旋杭において、紐装着部を上下に扁平したリング形状に形成してなることを特徴とする螺旋杭。
【請求項２】
紐装着部の両側折返し端が、杭部の螺旋径より外周方向へ突出してなる請求項１記載の螺旋杭。
【請求項３】
杭部の螺旋捩れピッチ長が、下方側部分に対して上方側の数ピッチを短く形成してなる請求項１又は２記載の何れかの螺旋杭。
【請求項４】
杭部の下方側が、螺旋直径と二倍のピッチ長で捩れ、上方側１．５〜３ピッチが、螺旋直径と同一のピッチ長で捩れてなる請求項３記載の螺旋杭。
【請求項５】
金属線材を螺旋状に曲げた杭部、及び杭部先端に杭部と連続する部材で上下に扁平した立ち上げリング形状に形成した紐装着部を備えた螺旋杭を、電動ドライバーで駆動操作するための器具であって、前記紐装着部を挟持できる間隔を備えた下方開口コの字状の保持板部と、保持部の折返し頂部に突設した装着軸部で構成してなる螺旋杭の駆動用連結具。
【考案の詳細な説明】
【技術分野】
【０００１】
本考案は、テント支柱及びテント膜、ビニールハウス支柱及びビニール膜等の固定のために使用する螺旋杭及び前記螺旋杭を電動ドリルで操作できるようにした駆動用連結具に関するものである。
【背景技術】
【０００２】
螺旋杭は金属線材を螺旋状に曲げて杭部を形成し、上端にロープ等を結び留めるための紐装着部を設けている。この連結部は、例えば特許文献１（実開平４−６５０５３号公報）には、鉤状の装着部材を装着した構成が開示されており、特許文献２（特開２００３−１６９５４８号公報図１３）には、螺旋状の杭部に連続して螺旋軸方向に立ち上げて円形状に曲げた縦円形紐装着部を形成している構成が開示されている。
【０００３】
また特許文献３（特開２０１３−３９０５４号公報）には、上端に螺旋軸と直交する円形の非突出形状の横円形の巻き座部を形成した防草用シート止着用の螺旋杭が示されており、また前記巻き座部形状と一致するチャック（駆動用連結具）を使用して電動ドライバーで杭部の打ち込みを行う手段が開示されている。
【先行技術文献】
【特許文献】
【０００４】
【特許文献１】実開平４−６５０５３号公報。
【特許文献２】特開２００３−１６９５４８号公報図１３。
【特許文献３】特開２０１３−３９０５４号公報。
【考案の概要】
【考案が解決しようとする課題】
【０００５】
電動ドライバーを使用しての杭の打設手段については特許文献３に開示されているが、特許文献３記載のような横円形の巻き座部では、特殊な構造の駆動用連結具が必要であり、且つ一般的なテント用杭としては使用できない。また特許文献２開示の縦円形紐装着部では、円形部分保持する連結具が縦長になり杭打ちにおける電動ドリルの操作性・作業性に劣る。
【０００６】
また従前の螺旋杭の杭部は、基本的に螺旋ピッチが一定であり、このため杭頭部（紐装着部）に横回転力（水平回転力）が加わると当該回転によって直ぐに杭が上方に移動してしまうので、杭頭部に横回転力が加わっても抵抗力を備える杭が望まれる。
【０００７】
そこで本考案は、紐装着部の形状並びに杭部の螺旋形状の改良を提案したものである。
【課題を解決するための手段】
【０００８】
本考案に係る螺旋杭は、金属線材を螺旋状に曲げた杭部と、杭部先端に杭部と連続する部材でリング立ち上げ形状に形成した紐装着部を備えた螺旋杭において、紐装着部を上下に扁平したリング形状に形成してなることを特徴とするものであり、更に紐装着部の両側折返し端を、杭部の螺旋径より外周方向へ突出させてなるものである。
【０００９】
前記の螺旋杭は、従前の螺旋杭と同様に紐装着部を保持して回転させると、杭部が地面に食い込んで打設されるもので、紐装着部が扁平リングであるので、上下長が従前杭よりも短く、機械駆動し易く、更に螺旋形より外周方向へ突出させることで手動操作が容易になる。
【００１０】
また本考案に係る螺旋杭は、前記の螺旋杭において更に杭部の螺旋捩れピッチ長（３６０度の回転に対応する１ピッチの螺旋軸方向の間隔）が、下方側部分に対して上方側の数ピッチを短く形成してなり、具体的には杭部の下方側が、螺旋直径と二倍のピッチ長で捩れ、上方側１．５〜３ピッチが、螺旋直径と同一のピッチ長で捩れてなるものである。
【００１１】
しかして前記の螺旋杭は、紐装着部を保持して回転させると下方側はスムーズに地面に食い込むが、上方側部の食い込みが下方側部分とピッチ長が異なるため、杭部の上方側部で地面を押し付けて回転することになり、柔らかい土壌に対して土壌締め付けを行いながらの打設となるものである。
【００１２】
また本考案に係る螺旋杭の駆動用連結具は、上記の螺旋杭を、電動ドライバー（携帯用電動工具）で駆動操作するための器具であって、紐装着部を挟持できる間隔を備えた下方開口コの字状の保持板部と、保持部の折返し頂部に突設した装着軸部で構成してなるものである。
【００１３】
しかして上記駆動用連結具の装着軸部を電動ドライバーの所定位置（チャック）に装着し、保持板部で螺旋杭の紐装着部を挟持し、電動ドライバーを駆動することで、螺旋杭の打ち込み、引き抜きを行うことができるものである。
【考案の効果】
【００１４】
本考案の構成は上記の通りで、線材で形成された螺旋杭の頭部を扁平リング状の紐装着部とすることで、機械操作性を高め、また両側に突出させることで手動操作性を高めたものであり、また特に螺旋状の杭部の上方側部の螺旋ピッチ長を短くすることで、地表側を押し固めての打設となり、緩い地盤に対しても抜け難くしたものである。
【図面の簡単な説明】
【００１５】
【図１】本考案の実施形態の全体斜視図。
【図２】同正面図（ピッチ長説明図）。
【図３】同操作器具の斜視図。
【図４】同駆動用連結具の使用説明図。
【考案を実施するための形態】
【００１６】
次に本考案の実施形態について説明する。実施形態に示した螺旋杭は、例えばＳＵＳ３０４（ステンレス鋼材）の６φの線材を曲げて形成したもので、螺旋状に形成した杭部１と、杭部先端に杭部１と連続してリング立ち上げ形状に形成した紐装着部２を備えたものである。尚以下の例は６φの線材を採用した例であり、使用目的に応じて全長を短くしたり、各サイズを小さくすることは任意である。
【００１７】
杭部１は、螺旋外形Ａを３６ｍｍとし、下方側部（２．５〜３．５ピッチ）１１は、螺旋捩れピッチ長（３６０度の回転に対応する１ピッチの螺旋軸方向の間隔）Ｂ１を、螺旋直径Ａと二倍のピッチ長Ｂ１（＝２Ａ）で捩り、捩り角度（螺旋の傾斜角度）を４５度とし、上方側部（１．５〜３ピッチ）１２の螺旋捩れピッチ長Ｂ２を、螺旋直径Ａと同一の長さとしたものである。
【００１８】
紐装着部２は、杭部１に連続して立ち上げて高さ２１ｍｍ，幅１１０ｍｍ程度に曲げて形成した扁平リング形状としたものである。
【００１９】
また前記の螺旋杭を打設する際に使用する駆動用連結具３は、保持板部３１と装着軸部３２を備えたもので、保持板部３１は、板幅２８ｍｍ程度を折曲して形成した下方開口コの字状で、その内方間隔は前記の螺旋杭の紐装着部２を挟持できる幅（６ｍｍ）とし、高さは約４０ｍｍ程度としたものである。
【００２０】
装着軸部３２は、六角柱形状で、電動ドライバーＸのチャック部Ｙに装着できる形状であれば良い。
【００２１】
次に上記駆動用連結具３を使用しての杭打ち作業・杭抜き作業について説明する。駆動用連結具３は、電動ドリル、インパクトレンチ等と称されている電動ドライバーＸの先端のチャック部Ｙに、装着軸部３２を装着固定する。そして杭を打設すべき個所に螺旋杭を立てると共に、紐装着部２を駆動用連結具３の保持板部３１で挟持する。そして電動ドライバーＸを回転動作させると螺旋杭は回転しながら地面に食い込んでいくものである。
【００２２】
特に螺旋杭は、杭部１の下方側部１１と上方側部１２とではピッチ長が相違するので、下方側部１１の食い込みはスムーズになされるが、上方側部１２が地中への食い込みに至ると、下方側部１１と上方側部１２のピッチ長が相違するので、上方側部１２は、土を抑え込みながらの土中侵入となり、地表側を押し固めての杭打ちとなる。
【００２３】
従って杭打ち作業は、通常の螺旋杭に比較して多少の押し込み力を必要とするが、逆に引き抜き抵抗力も増大し、杭が抜け難くなるものであり、また柔らかい土壌に対して土壌締め付けを行いながらの打設となるものである。
【符号の説明】
【００２４】
１      杭部
１１    下方側部
１２    上方側部
２      紐装着部
３      駆動用連結具
３１    保持板部
３２    装着軸部
【図１】
0003191590.tif 000003
【図２】
0003191590.tif 000004
【図３】
0003191590.tif 000005
【図４】
0003191590.tif 000006